(57)【特許請求の範囲】
【請求項１】
帯状シートをスリッターにより複数に分割しながら、その分割シートを個々の巻芯へ巻き取るシート分割巻取装置において、基盤上に立てて前記帯状シートの幅方向の両側に設けた、相互間に前記スリッターを支持すると共に夫々上部の手前側に突出部分を有する一対の機枠と、前記突出部分の相互間の下方に上下２段に配置したタッチローラと、前記突出部分の上側に、両端が一対の機枠の両側に突き出た状態で、一対の機枠上の案内機構により帯状シート長手方向かつ水平方向にスライド可能に支持した、一対の機枠の相互間隔に比べて長さが長い上側間隔調整台及びその移動機構と、下側タッチローラの手前かつ下側タッチローラより低い位置に、基盤上に設けた案内機構により帯状シート長手方向かつ水平方向にスライド可能に支持した下側間隔調整台及びその移動機構と、上側間隔調整台に巻芯の長手方向に位置づけできるように装着した、前記突出部分を迂回して巻芯を下側先端部で上側のタッチローラと同じ高さに支持する上側巻芯支持装置と、下側間隔調整台に巻芯の長手方向に位置づけできるように装着した、下側のタッチローラへ向けて突き出た先端部で巻芯を下側のタッチローラと同じ高さに支持する下側巻芯支持装置と、下側間隔調整台上かつ下側巻芯支持装置の手前に設けた作業用床と、下側間隔調整台の奥に、下側のタッチローラの下方の退避位置から手前にある搬出位置へ移動可能に配設した、帯状シート幅方向に平行に伸びた一つのコンベヤ及びその昇降装置を有する搬出装置とを備え、前記搬出装置は、下側巻芯支持装置から巻取ロールをコンベヤ上に受け取って搬出した後、上側巻芯支持装置から巻取ロールをコンベヤ上に受け取って搬出することを特徴とするシート分割巻取装置。
【請求項２】
帯状シートをスリッターにより複数に分割しながら、その分割シートを個々の巻芯へ巻き取るシート分割巻取装置において、基盤上に立てて前記帯状シートの幅方向の両側に設けた、相互間に前記スリッターを支持すると共に夫々上部の手前側に突出部分を有する一対の機枠と、前記突出部分の相互間の下方に上下２段に配置したタッチローラと、前記突出部分の上側に、両端が一対の機枠の両側に突き出た状態で一対の機枠上の案内機構により帯状シート長手方向かつ水平方向にスライド可能に支持した、一対の機枠の相互間隔に比べて長さが長い上側間隔調整台及びその移動機構と、下側タッチローラの手前かつ下側タッチローラより低い位置に、基盤上に設けた案内機構により帯状シート長手方向かつ水平方向にスライド可能に支持した下側間隔調整台及びその移動機構と、上側間隔調整台に巻芯の長手方向に位置づけできるように装着した、前記突出部分を迂回して巻芯を下側先端部で上側のタッチローラと同じ高さに支持する上側巻芯支持装置と、下側間隔調整台に巻芯の長手方向に位置づけできるように装着した、下側のタッチローラへ向けて突き出た先端部で巻芯を下側のタッチローラと同じ高さに支持する下側巻芯支持装置と、下側間隔調整台上かつ下側巻芯支持装置の手前に設けた作業用床と、下側間隔調整台の奥に、下側のタッチローラ下方の退避位置から下側用搬出位置へ移動可能に配設した、帯状シート幅方向に平行に伸びたコンベヤ及びその昇降装置を有する下側用搬出装置、並びに、下側用搬出装置の奥に、下側のタッチローラ下方の退避位置から上側用搬出位置へ移動可能に配設した、帯状シート幅方向に平行に伸びたコンベヤ及びその昇降装置を有する上側用搬出装置を備え、前記下側用搬出装置は、下側用搬出位置につき下側巻芯支持装置から巻取ロールをコンベヤ上に受け取り、前記上側用搬出装置は、上側用搬出位置につき上側巻芯支持装置から巻取ロールをコンベヤ上に受け取ることを特徴とするシート分割巻取装置。
【発明の詳細な説明】
【０００１】
【発明の属する技術分野】
本発明は、プラスチックフィルム、紙等の帯状シートをスリッターにより複数条に分割しながら巻芯のまわりに巻き取るシート分割巻取装置に関する。
【０００２】
【従来の技術】
従来、シート分割巻取装置には、例えば特開昭６４ー６４９４８号公報に開示されているように、帯状シート長手方向かつ水平方向の前後に配置した互いに対向する前部巻取装置と後部巻取装置とへ、スリッターによる分割シートを交互に振り分けて巻取るものがある。このシート分割巻取装置では、前部巻取装置及び後部巻取装置は、それぞれ巻芯支持装置と、巻芯支持装置を巻芯の長さに応じて、その巻芯の長手方向に平行に位置づける、前後方向にスライド可能な間隔調整台とを備えており、タッチローラ部と各巻取装置との間にそれぞれ配設したコンベヤにより、分割シートの巻取ロールを機側に搬出する。
【０００３】
また、シート分割巻取装置には、例えば特開平４−３０３３５２号公報に開示されているように、帯状シートの幅方向に平行かつ水平に上下２段に間隔調整台を回動自在に設置し、上側の間隔調整台に巻芯支持装置を懸垂した状態で取り付けると共に、下側の間隔調整台に巻芯支持装置を倒立した状態で取り付けたものもある。この装置では、巻取ロールを搬出するために、昇降台車に上部受け具と下部受け具とを昇降、かつ回動自在に取り付けた製品取り出し装置を備える。そして巻取ロールを搬出するには、間隔調整台と共に巻芯支持装置を回転させて巻取ロールを手前の搬出位置に移動させた後、製品取り出し装置を搬出位置に移動させて上部受け具及び下部受け具で上下の巻取ロールを下方から支持し、その状態で製品取り出し装置を搬送コンベヤ等の位置まで移動させ、巻取ロールを搬送コンベヤ等に渡す。
【０００４】
【発明が解決しようとする課題】
上述のような前後に巻取装置を配置したシート分割巻取装置は、一般に原反幅が４メートルを越えるシート分割巻取工程で多く採用される。しかし原反幅が例えば４メートル程度又はそれ以下の小型のものでは、原反幅が狭い割には前後方向の長さが長くなり、広い設置面積を必要とする。
【０００５】
また、上下に巻取装置を備え、昇降台車に上下の受け具を取り付けた製品取り出し装置を備える上述のシート分割巻取装置では、次のような問題がある。即ち、製品取り出し装置の背丈が高く大きい構造になり、占有空間が大きくなる。そして、その移動空間が必要なため、搬出装置を含めたシート分割巻取装置全体としては広い設置面積を必要とする。また巻取ロールの搬出時に製品取り出し装置が、上下巻取装置の手前の巻取準備作業空間に移動して巻取ロールを受け取るため、作業者の安全を確保する上で不利であり、製品取り出し装置が完全に巻取準備作業空間から退去するまで次の巻取準備作業ができない。また一般に間隔調整台は複数対の巻芯支持装置を装着しており、帯状シートの分割数が少ない場合は、一部の巻芯支持装置を休止させ、それを間隔調整台の両側に待機させるので、間隔調整台の長さは、巻芯支持装置の待機場所を考慮して、帯状シートの案内ローラより長くする。そのため間隔調整台を回動自在に支持するにはその両端部に背丈の高い機枠が必要になり、装置が大型化する。
【０００６】
本発明は、上述の問題点に鑑み、設置面積が少なくて済み、しかも作業者の労力により巻取ロールを搬出する必要がなく、巻取ロール搬出時の作業者の安全を確保できるシート分割巻取装置を提供することを課題としている。
【０００７】
【課題を解決するための手段】
本発明では、分割シートを上下に振り分けて品質よく巻き取ることができるように、基盤上に立てて前記帯状シートの幅方向の両側に設けた、相互間に前記スリッターを支持すると共に夫々上部の手前側に突出部分を有する一対の機枠と、前記突出部分の相互間の下方に上下２段に配置したタッチローラと、前記突出部分の上側に、両端が一対の機枠の両側に突き出た状態で一対の機枠上の案内機構により帯状シート長手方向かつ水平方向にスライド可能に支持した、一対の機枠の相互間隔に比べて長さが長い上側間隔調整台及びその移動機構と、下側タッチローラの手前かつ下側タッチローラより低い位置に、基盤上に設けた案内機構により帯状シート長手方向かつ水平方向にスライド可能に支持した下側間隔調整台及びその移動機構と、上側間隔調整台に巻芯の長手方向に位置づけできるように装着した、前記突出部分を迂回して巻芯を下側先端部で上側のタッチローラと同じ高さに支持する上側巻芯支持装置と、下側間隔調整台に巻芯の長手方向に位置づけできるように装着した、下側のタッチローラへ向けて突き出た先端部で巻芯を下側のタッチローラと同じ高さに支持する下側巻芯支持装置とを備える。そして巻取ロールの搬出作業を省力化できるように、下側間隔調整台上かつ下側巻芯支持装置の手前に設けた作業用床と、下側間隔調整台の奥に、下側のタッチローラの下方の退避位置から手前にある搬出位置へ移動可能に配設した、帯状シート幅方向に平行に伸びた一つのコンベヤ及びその昇降装置を有する搬出装置を備える。そして前記搬出装置は、下側巻芯支持装置から巻取ロールをコンベヤ上に受け取って搬出した後、上側巻芯支持装置から巻取ロールをコンベヤ上に受け取って搬出することとする。なお、本発明ではシート分割巻取装置の正面に向かって立ったとき、自分に近い方を「手前」、遠い方を「奥」とする。
【０００８】
このように、分割シートを上下に振り分け巻き取ることにより、シート分割巻取装置の前後方向の長さを短縮できる。また、帯状シート幅方向に平行に伸びたコンベヤ、及びコンベヤの昇降装置を有する搬出装置を、下側間隔調整台のスリッター側に、下側のタッチローラの下方の退避位置から搬出位置へ移動可能に配設し、下側間隔調整台上の、下側巻芯支持装置に対しタッチローラの反対側に、作業用床を設けることにより、作業者の作業空間と、搬出装置による巻取ロール搬出空間とを分離して作業者の安全を確保すると共に、搬出装置の占有空間及び設置面積を小さくすることができる。
【０００９】
また、上側間隔調整台に装着した上側巻芯支持装置の下側先端部で巻芯を、機枠上部の手前側の突出部分を迂回して支持し、下側間隔調整台に装着した下側巻芯支持装置の、タッチローラへ向けて突き出た先端部で巻芯を支持することにより、上側の巻取ロールの下面を、それを支持した上側巻芯支持装置の下端よりも低くし、下側の巻取ロールの下面を、それを支持した下側巻芯支持装置の突き出た先端部の下縁よりも低くし、コンベヤを巻取ロール下面まで上昇させても、上側巻芯支持装置又は下側巻芯支持装置に衝突しないようにすることができる。そして搬出装置は、下側巻芯支持装置から巻取ロールをコンベヤ上に受け取って搬出した後、上側巻芯支持装置から巻取ロールをコンベヤ上に受け取って搬出することとするので、下側巻芯支持装置から巻取ロールをコンベヤ上に受け取って下側巻芯支持装置をコンベヤ上の巻取ロールから退避させ、下側の巻取ロールを機側へ搬送できるようにしたとき、搬出装置は、下側巻芯支持体より高い位置へコンベヤを上昇させることができる状態になる。したがって、搬出装置は、下側の巻取ロールを搬出した後、搬出位置でコンベヤを上側の巻取ロールの下面又はその付近まで上昇させることができ、一つのコンベヤで上下の巻取ロールを能率良く搬出できるようになる。
【００１０】
【発明の実施の形態】
本発明のシート分割巻取装置では、基盤上に立てて帯状シートの幅方向の両側に設けた、相互間にスリッターを支持すると共に夫々上部の手前側に突出部分を有する一対の機枠と、前記突出部分の相互間の下方に上下２段に配置したタッチローラと、前記突出部分の上側に、両端が一対の機枠の両側に突き出た状態で一対の機枠上の案内機構により帯状シート長手方向かつ水平方向にスライド可能に支持した、一対の機枠の相互間隔に比べて長さが長い上側間隔調整台及びその移動機構と、下側タッチローラの手前かつ下側タッチローラより低い位置に、基盤上に設けた案内機構により帯状シート長手方向かつ水平方向にスライド可能に支持した下側間隔調整台及びその移動機構と、上側間隔調整台に巻芯の長手方向に位置づけできるように装着した、前記突出部分を迂回して巻芯を下側先端部で上側のタッチローラと同じ高さに支持する上側巻芯支持装置と、下側間隔調整台に巻芯の長手方向に位置づけできるように装着した、下側のタッチローラへ向けて突き出た先端部で巻芯を下側のタッチローラと同じ高さに支持する下側巻芯支持装置と、下側間隔調整台上かつ下側巻芯支持装置の手前に設けた作業用床と、下側間隔調整台の奥に、下側のタッチローラの下方の退避位置から手前にある搬出位置へ移動可能に配設した、帯状シート幅方向に平行に伸びた一つのコンベヤ及びその昇降装置を有する搬出装置とを備える。そして前記搬出装置は、下側巻芯支持装置から巻取ロールをコンベヤ上に受け取って搬出した後、上側巻芯支持装置から巻取ロールをコンベヤ上に受け取って搬出する。
【００１１】
また、前記搬出装置に替え、下側間隔調整台の奥に、下側のタッチローラ下方の退避位置から下側用搬出位置へ移動可能に配設した、帯状シート幅方向に平行に伸びたコンベヤ及びその昇降装置を有する下側用搬出装置、並びに、下側用搬出装置の奥に、下側のタッチローラ下方の退避位置から上側用搬出位置へ移動可能に配設した、帯状シート幅方向に平行に伸びたコンベヤ及びその昇降装置を有する上側用搬出装置を備えるとよい。この場合、前記下側用搬出装置は、下側用搬出位置につき下側巻芯支持装置から巻取ロールをコンベヤ上に受け取り、前記上側用搬出装置は、上側用搬出位置につき上側巻芯支持装置から巻取ロールをコンベヤ上に受け取ることとする。
【００１２】
【実施例】
図１から図５を参照して本発明の第１実施例を説明する。図１はシート分割巻取装置の概略側面図、図２は同じく概略正面図、図３は図２におけるＡ−Ａ矢視図である。図１において、帯状シートＳは、図示しない原反装置の原反ロールから巻き戻され、シート分割巻取装置に供給され、スリッター１を経て複数条に分割され、その分割シートＳｃは、上下の案内ローラ２、３へ振り分けられ、上下２段に配設されたタッチローラ４、５のうちの片方を経て個々の巻芯Ｃのまわりに巻き取られる。なお、図１は巻取開始時の状態を示し、図２は巻芯Ｃ上に分割シートＳｃを巻き取って巻取ロールＲ１、Ｒ２が完成した状態を示す。
【００１３】
スリッター１は複数のナイフ６を備える。ナイフ６は各々のホルダー７で保持し、ホルダー７は帯状シートＳの幅方向に位置づけることができるように軸部材８に装着し、軸部材８の両端は、帯状シートＳの幅方向の両側に設けた機枠９で支持してある。この実施例の場合、スリッター１はナイフ６の刃先を溝付きローラ１０の溝に入れた状態で帯状シートＳを切断する。
【００１４】
上下のタッチローラ４、５は、各分割シートＳｃに対応して個別に設け、図３に示すように各々の両端部を公知の一対の支持装置１１、一対の支持装置１２で支持してある。支持装置１１、１２は、一対の機枠９の間に固設した上下２段の案内支持梁１３、１４に、タッチローラ４、５の長手方向に位置づけ可能に取り付けてある。そしてタッチローラ４、５は、巻取中に、図２に示す巻取ロールＲ１、Ｒ２の外周に所要の接触圧で接触することができるようにしてある。
【００１５】
上側のタッチローラ４の上方には梁状の上側間隔調整台１５が設けてある。この上側間隔調整台１５は、手前側の側面に、帯状シートＳの幅方向に伸びたレール１６を持つ。そして一対の機枠９上の案内機構１７により、帯状シート長手方向かつ水平方向にスライド可能に支持してある。案内機構１７は、巻取中の巻芯Ｃの振動を抑えて高品質の巻取ロールを得るために、機枠９の上面に固定したレール１７ａ、及びこのレール１７ａに、そのレールの上下方向並びに左右方向の移動を阻止した状態でレール長手方向にスライドできるように取り付けた可動部材１７ｂとからなる。そして可動部材１７ｂは上側間隔調整台１５の下面に固着してある。また機枠９上には、上側間隔調整台１５をレール１７ａに沿って移動させるための移動機構１８が設けてあり、移動機構１８は間隔調整台に螺合したねじ棒１８ａを備え、ねじ棒１８ａを正転、逆転することにより、間隔調整台１５を前進、後退させることができるようになっている。
【００１６】
下側のタッチローラ５に対してスリッター１の反対側かつ下側のタッチローラ５より低い位置には、梁状の下側間隔調整台１９が設けてある。この下側間隔調整台１９は、その下面に受け台２０を持ち、その上面に、帯状シートＳの幅方向に伸びたレール２１を持つ。そして上側の案内機構１７と同様の、基盤２２上に設けた案内機構２３により、帯状シートＳの長手方向かつ水平方向にスライド可能に支持されている。また、基盤上２２には、下側間隔調整台１９を案内機構２３の案内方向に移動させるための、上側と同様な構造の移動機構２４が設けてある。
【００１７】
分割シート幅に応じた長さの巻芯Ｃを所要位置で支持することができるようにするために、上側間隔調整台１５には上側巻芯支持装置２５が、また下側間隔調整台１９には下側巻芯支持装置２６が、それぞれ巻芯Ｃの長手方向に位置づけできるように装着してある。
【００１８】
上側巻芯支持装置２５は、レール１６にスライド可能に取り付けた基台２７と、基台２７から下方へ伸びた状態の腕部材２８と、腕部材２８の下側先端部に備えたコアチャック２９と、基台２７を所要位置でレール１６に固定することができる図示しない固定手段とからなる。そして一対になり、コアチャック２９を巻芯Ｃの両端に係合させて、巻芯Ｃを上側のタッチローラと同じ高さに両端支持することができる。この実施例では腕部材２８は基台２７に固着してある。
【００１９】
図２に示すように上側間隔調整台１５はその下面を、基盤２２上に立てた一対の機枠９、９上の案内機構１７、１７で支持することによりスライド可能に設けるので、その両端部を機枠で支持する必要がない。そこで上側巻芯支持装置２５の移動可能な範囲を広くして多様な巻取幅に対応できるようにし、かつ巻取部の占有空間を小さくするために、一対の機枠９、９の相互間隔と比べて長さが長い上側間隔調整台１５を、その両端が一対の機枠９、９の両側へ突き出た状態で支持する。また上側間隔調整台１５が所要距離をスライドできるようにするために、機枠９の上部を、図１に示すように手前側へ突出させているので、上側巻芯支持装置２５は、それが機枠９、９より外側へ移動できるように機枠９の突出部分９ａを迂回している。そして図１及び図３に示すように、突出部分９ａ、９ａの相互間の下方にタッチローラ４、５を配置している。
【００２０】
下側巻芯支持装置２６は、レール２１にスライド可能に取り付けた基台３０と、基台３０に固着した腕部材３１と、腕部材３１の先端部３１ａに備えたコアチャック３２と、基台３０を所要位置でレール１６に固定する図示しない固定手段とからなる。腕部材３１は基台３０から上方へ伸び、その先端部３１ａは下側のタッチローラ５ヘ向けて突き出ており、コアチャック３２を巻芯Ｃの両端に係合させて、巻芯Ｃを下側のタッチローラ５と同じ高さに支持することができる。そして下側間隔調整台１９上には、下側巻芯支持装置２６に対しタッチローラ５の反対側に作業用床３３が、受け台２０上の柱３４で支えた状態で固設してある。また、作業用床３３には全幅にわたり手すり３３ａが設けてある。
【００２１】
下側間隔調整台１９のスリッター側には、帯状シートＳの長手方向かつ水平方向にスライド可能に搬出装置３５が設置してある。この搬出装置３５は、帯状シートＳの幅方向に平行に伸びたベルトコンベヤ３６と、このベルトコンベヤ３６の昇降装置３７とを有し、昇降装置３７は、案内機構２３のレール２３ａにスライド可能に装着した可動台３８上に設置してあり、この実施例では図３に示すように互いにＸ字状に中央部を軸３９で枢着した二つのリンク部材４０、４１を前後方向に一定の間隔で一対備え、リンク部材４０の一端を可動台３８に枢着すると共に、その他端には車輪４２を設け、リンク部材４１の一端を昇降枠４３に枢着すると共に、その他端には車輪４４を設け、リンク部材４１の車輪４４の車軸を流体圧シリンダ４５で押し引きすることにより、昇降枠４３を昇降させる公知ものである。
【００２２】
また、搬出装置３５は、それを移動させるために、この実施例では、図示しない引っ張りコイルばねで下側間隔調整台１９に連結してある。そして巻取開始時には下側間隔調整台１９に押されて、図１に示すように下側のタッチローラ５の下方の退避位置に退避し、巻取ロールＲ２の半径増大に応じて、引っ張りコイルばねを介して下側間隔調整台１９と共に移動し、下側間隔調整台１９が図４に実線で示す位置につくと、搬出装置３５も図４に実線で示すように搬出位置につくことができる。そして、それ以上、下側間隔調整台１９が後退しても、それに追従しないよう、図示しないストッパーで移動を阻止され、前記コイルばねが伸びるようになっている。なお、搬出装置３５を搬出位置へ移動させるために、必要に応じて他の公知の移動手段を採用することができる。
【００２３】
巻取運転及び巻取ロール搬出のために、移動機構１８、２４、昇降装置３７及びベルトコンベヤ３６等の動作は図示しない制御装置により制御されるようになっている。
【００２４】
移動機構１８、２４は、上側及び下側間隔調整台１５、１９を、巻取開始時に図１に示す巻取開始位置へ移動させ、巻取中は巻取ロールの半径増大に応じてタッチローラ４、５から後退させることができる。また移動機構１８は、巻取ロールＲ１が完成すると、図４に示す搬出位置に上側間隔調整台１５をつけることができ、また移動機構２４は、巻取ロールＲ２が完成すると、下側間隔調整台１９を、図４に実線で示す搬出位置につけることができ、更に、搬出装置３５がベルトコンベヤ３６上に巻取ロールＲ２を受け取ると、図４に鎖線で示す位置に下側巻芯支持装置２６がつくように下側間隔調整台１９を退避位置へ後退させることができる。
【００２５】
この実施例のシート分割巻取装置においてスリッター１の分割幅変更作業はスリッター１の上流側（図１の右側）から行う。また巻取幅の変更に伴う上側及び下側巻芯支持装置２５、２６の位置変更及び巻芯Ｃの装着作業、上下のタッチローラ４、５の支持装置１１、１２の位置変更及び上下のタッチローラ４、５の装着作業は、作業者が下側間隔調整台１９の作業用床３３等の上に乗って行う。
【００２６】
巻取運転を再開するには、上側及び下側巻芯支持装置２５、２６に各分割シートに応じた幅の巻芯Ｃを装着し、上下の移動機構１８、２４により、上側及び下側間隔調整台１５、１９を巻取開始位置につけ、各巻芯Ｃをタッチローラ４、５に接触させる。そして作業者が作業用床３３上において、分割シートＳｃの先端を巻芯Ｃ上に接着し、その後、巻取運転を開始する。巻取中、巻芯Ｃは、上側巻芯支持装置１５、下側巻芯支持装置１９に装着した図示しない回転駆動機構によりコアチャック２９、３２介して回転駆動される。
【００２７】
分割シートＳｃを所定長さ巻き取ると巻取運転を停止し、巻取運転が停止すると移動機構１８、２４が作動する。そして上側間隔調整台１５、下側間隔調整台１９が図４に示す搬出位置につく。このとき搬出装置３５は搬出位置についている。また巻取ロールＲ１、Ｒ２につながる分割シートが、図示しない公知の横断切断装置により幅方向に切断される。
【００２８】
搬出運転の開始を図示しない制御装置に指令すると、昇降装置３７が作動してベルトコンベヤ３６が上昇する。昇降装置３７は、ベルトコンベヤ３６の上面付近を光軸が通るようにベルトコンベヤ３６の機枠に取り付けた図示しない光電スイッチで巻取ロールＲ１又はＲ２を検出して作動を停止するようにしてあるので、ベルトコンベヤ３６が巻取ロールＲ１の下面又は下面付近に達すると、その上昇が停止する。この状態を図４に示す。
【００２９】
ベルトコンベヤ３６の上昇が停止すると、下側巻芯支持装置２６は巻取ロールＲ２を解放し、ベルトコンベヤ３６は巻取ロールＲ２を受け取る。図４に示す実施例の場合、予めベルトコンベヤ３６上に巻取ロール毎に荷台を置いておき、その荷台の上に巻取ロールを受け取る。その後、昇降装置が作動してベルトコンベヤ３６が所定の搬出高さまで降りると共に、移動機構２４が作動し、下側間隔調整台１９が搬出位置から更に後退して、下側巻芯支持装置２６が図４に鎖線で示す退避位置につく。それによって巻取ロールＲ２の搬送が可能になると同時に、ベルトコンベヤ３６が下側巻芯支持装置２６より更に上方へ移動可能な状態になる。その後、ベルトコンベヤ３６が作動し、ベルトコンベヤ３６上の巻取ロールＲ２が機側へ搬送されて搬出される。
【００３０】
下側の巻取ロールＲ２の搬出が終了すると、再び昇降装置３７が作動してベルトコンベヤ３６が上昇し、上側巻芯支持装置２５上の巻取ロールＲ１の下面を支えた状態でベルトコンベヤ３６の上昇が停止する。この状態を図５に示す。
【００３１】
ベルトコンベヤ３６の上昇が停止すると、上側巻芯支持装置２５は巻取ロールＲ１を解放する。その後、昇降装置３７が作動してベルトコンベヤ３６が所定の搬出高さまで下降し、再びベルトコンベヤ３６が作動し、巻取ロールＲ１が図５に鎖線で示す位置で機側へ搬送されて搬出される。
【００３２】
上側の巻取ロールＲ１の搬出が終了すると、移動機構１８、２４が作動して下側及び上側間隔調整台１５、１９がそれぞれ巻取開始位置に移動する。それに伴い、搬出装置３５もタッチローラ５の下方に移動して退避位置につく。そして作業者は作業用床３３上に立って、次の巻取運転に用いる巻芯Ｃを、巻取ロールＲ２、Ｒ１を解放した下側巻芯支持装置２６、上側巻芯支持装置２５に装着する。
【００３３】
次に本発明のシート分割巻取装置の第２実施例を図６を参照して説明する。この実施例のシート分割巻取装置は、前述の搬出装置３５に替え、下側間隔調整台１９のスリッター側に配設した下側用搬出装置５１と、下側用搬出装置５１のスリッター側に配設した上側用搬出装置５２とを備えている。下側用搬出装置５１、上側用搬出装置５２は、レール２３ａに沿ってスライド可能に取り付けた可動台５３、５４を備え、可動台５３、５４上には、それぞれ第１実施例と同様なベルトコンベヤ３６及びその昇降装置３７を有する。そして下側用搬出装置５１、上側用搬出装置５２は、巻取開始時には、それぞれ鎖線で示す位置に退避することができる。また巻取ロール搬出時には第１実施例と同様な手段により、それぞれ実線で示す下側用搬出位置、上側用搬出位置につくことができるようにしてある。
【００３４】
巻取ロール搬出時、上側間隔調整台１５は移動機構１８により、実線で示す位置につけられ、下側間隔調整台１９は移動機構２４により、鎖線で示す位置につけられる。そして下側用搬出装置５１は、下側用搬出位置につき、その位置で昇降装置３７によりベルトコンベヤ３６を上昇させて、下側巻芯支持装置２６から巻取ロールＲ２をコンベヤ３６上に受け取る。下側巻芯支持装置２６が巻取ロールＲ２を解放すると、移動機構２４が作動して下側間隔調整台１５が実線で示す退避位置への後退を開始する。それと同時に、各昇降装置３７が作動して各ベルトコンベヤ３６が所定の搬出高さまで下降する。この状態を図６に実線で示している。そして、この状態でベルトコンベヤ３６が作動して巻取ロールＲ１、Ｒ２を機側へ搬送して搬出する。
【００３５】
上述の搬出装置３５、５１、５２は、ベルトコンベヤ３６の上に準備した荷台台上に巻取ロールを受け取るようにしているが、必要に応じてベルトコンベヤ上に直接的に載せて搬送するようにしてもよい。また、コンベヤはベルトコンベヤに限らず、巻取ロールを載せて機側へ搬送する機能があるものであれば、必要に応じてスラットコンベヤ、ローラコンベヤ等他の公知のコンベヤを採用することができる。また上述のタッチローラは分割シート毎の個別タッチローラであったが、この個別のタッチローラに替え、上側の各巻取ロールに共通のタッチローラと、下側の各巻取ロールに共通のタッチローラとを、帯状シートの幅方向における両側に設けた一対の機枠上の軸受に取り付けてもよく、この場合には、上側及び下側の巻芯支持装置は、巻芯をタッチローラへ個々に押し付けるための機構を備るものとする。また、本発明のシート分割巻取装置は、上側及び下側の巻芯支持装置の数、スリッターのナイフ等の数は前述の実施例の数に限らず、分割仕様に応じて変わり得る。更に上下の間隔調整台が概略水平方向にスライドするもの、また上下の巻芯支持装置が巻芯をそれぞれ上下のタッチローラと概略同じ高さに支持するものもであっても本発明の技術的範囲に属するものとする。
【００３６】
【発明の効果】
請求項１記載のシート分割巻取装置によれば、分割シートを上下に振り分けて巻き取っても、品質良く巻き取ることが可能になる。しかも上側巻芯支持装置の移動可能な範囲が広くなって多様な巻取幅に対応でき、かつ巻取部の占有空間を小さくすることができる。更に、分割シートを上下に振り分けて巻き取り、下側間隔調整台のスリッター側に、下側のタッチローラの下方の退避位置から下側用搬出位置へ移動可能に配設した搬出装置で上下の巻取ロールを搬出するので、設置面積が少なくて済む。また、上側巻芯支持装置の下側先端部で上側の巻芯を支持し、下側巻芯支持装置のタッチローラ側へ突き出た先端部で下側の巻芯を支持し、搬出装置は、下側巻芯支持装置から巻取ロールをコンベヤ上に受け取って搬出した後、上側巻芯支持装置から巻取ロールをコンベヤ上に受け取って搬出することにより、下側の巻取ロールを搬出した後、搬出装置が、搬出位置から移動することなく、コンベヤを上昇させて上側巻芯支持装置から巻取ロールを受け取ることができる状態になる。そのため一つの搬出装置で上下の巻取ロールを能率的に搬出することができる。また、作業者が従来のように前後の巻取位置に移動しなくても作業用床上から上側及び下側巻芯支持装置に巻芯を装着し、分割シートの先端を巻芯上に止めることができるので、巻取準備作業が能率的に行える。また、スリッターの奥に巻芯支持装置が無いので、そのスリッターにおけるナイフの位置決め作業の作業性がよい。更に下側巻芯支持装置の手前側に作業用床を設け、下側巻芯支持装置のスリッター側において、コンベヤにより上下の巻取ロールを機側へ搬送することができるので、巻取ロールの搬出時に作業者に危険が及ばない。
【００３７】
請求項２記載のシート分割巻取装置によれば、上下の巻取ロールをそれぞれのコンベヤで並行して搬出することができるので、上下の巻取ロールの搬出時間を短縮することができる。しかも、下側用搬出装置のスリッター側に上側用搬出装置を配設するので、上側間隔調整台のスライド距離が短くて済み、上側の巻取部の構造が大きくならない。
【図面の簡単な説明】
【図１】本発明の第１実施例に係るシート分割巻取装置の概略側面図である。
【図２】本発明の第１実施例に係るシート分割巻取装置の概略正面図である。
【図３】図２におけるＡ−Ａ矢視図である。
【図４】搬出位置についた搬出装置がベルトコンベヤを下側の巻取ロールの下面まで上昇させた状態を示す概略側面図である。
【図５】搬出位置についた搬出装置がベルトコンベヤを上側の巻取ロールの下面まで上昇させた状態を示す概略側面図である。
【図６】  本発明の第２実施例に係るシート分割巻取装置の概略側面図である。
【符号の説明】
Ｓ  帯状シート
Ｓｃ  分割シート
１  スリッター
４  タッチローラ
５  タッチローラ
９  機枠
９ａ  突出部分
１５  上側間隔調整台
１７  案内機構
１８  移動機構
１９  下側間隔調整台
２３  案内機構
２４  移動機構
２５  上側巻芯支持装置
２６  下側巻芯支持装置
３３  作業用床
３５  搬出装置
３６  コンベヤ
３７  昇降装置
５１  下側用搬出装置
５２  上側用搬出装置
【図１】
0003804139.tif 000002
【図２】
0003804139.tif 000003
【図３】
0003804139.tif 000004
【図４】
0003804139.tif 000005
【図５】
0003804139.tif 000006
【図６】
0003804139.tif 000007